(57)【要約】      （修正有）【課題】ミランダＴに採用されているレンズを近年のカメラに装着できるマウントアダプタを提供する。【解決手段】カメラ本体２００とレンズ３００との間に装着されるマウントアダプタ１００であって、該マウントアダプタは１００、カメラ本体接合面を有する第１環状部１１１と、レンズ接合面を有しかつ外径が前記第１環状部よりも小さい第２環状部１２１とを有しており、第１環状部１１１のカメラ本体接合面はＥＦマウントの規格に適合しており、第２環状部１２１のレンズ接合面はミランダＴのレンズマウントの規格に適合している。【選択図】図１
0003177509.tif 000002
【実用新案登録請求の範囲】
【請求項１】
カメラ本体とレンズとの間に装着されるマウントアダプタであって、
該マウントアダプタは、カメラ本体接合面を有する第１環状部と、レンズ接合面を有しかつ外径が前記第１環状部よりも小さい第２環状部とを有しており、
前記第１環状部の前記カメラ本体接合面はＥＦマウントの規格に適合しており、前記第２環状部の前記レンズ接合面はミランダＴのレンズマウントの規格に適合していることを特徴とするマウントアダプタ。
【請求項２】
前記第２環状部の前記レンズ接合面は、前記第１環状部が有するレンズ側の面よりもカメラ本体の結像面に近いことを特徴とする請求項１に記載のマウントアダプタ。
【請求項３】
前記第２環状部の前記レンズ接合面は、前記第１環状部の前記カメラ本体接合面よりもカメラ本体の結像面に近いことを特徴とする請求項１に記載のマウントアダプタ。
【請求項４】
前記第２環状部の前記レンズ接合面と、前記第１環状部の前記カメラ本体接合面との距離は、２．０ｍｍ以上、３．０ｍｍ以下であることを特徴とする請求項３に記載のマウントアダプタ。
【請求項５】
該マウントアダプタは、さらに、
カメラ本体が有するレンズマウント面に、前記第１環状部の前記カメラ本体接合面を当接させた状態で、カメラ本体が有するマウント爪に引っ掛けて、該マウントアダプタをカメラ本体に固定するカメラ側固定部材と、
前記第２環状部の前記レンズ接合面に、レンズを固定するレンズ側固定部材と
を有することを特徴とする請求項１〜４のいずれか１項に記載のマウントアダプタ。
【考案の詳細な説明】
【技術分野】
【０００１】
本考案は、レンズマウントの規格が異なるカメラ本体と交換レンズとの間に取り付けて使用するマウントアダプタに関するものである。
【背景技術】
【０００２】
レンズマウントの規格が異なるカメラ本体と交換レンズとの間に取り付けて、レンズマウントの規格がカメラ本体とは異なる交換レンズを当該カメラ本体において使用できるようにするための機器をマウントアダプタという。マウントアダプタには、レンズマウントの規格の変更が行われた際に、規格変更前に販売した製品と規格変更後に販売した製品間に互換性を持たせるためのものや、お気に入りのカメラ本体にカメラ本体とは異なるメーカのレンズや旧式の名レンズを装着するためのものなどがある（例えば、特許文献１参照）。なお、マウントアダプタは一般に、交換レンズをカメラ本体に機械的に取り付ける機能を持つものを言い、自動絞り、絞り連動、露出計連動、及びオートフォーカスなどの機能を有効にするための動力、電力、及び信号などは伝達しないものが多い。
【０００３】
フランジバック（レンズマウントのマウント面（レンズ取り付け面）から結像面（フィルム面またはセンサー面）までの距離）が長い交換レンズを、フランジバックが短いカメラ本体に取り付ける場合には、マウントアダプタの長さをフランジバックの長さの差分に一致させることで、光学的な特性を一致させることができる。反対にフランジバックが短い交換レンズを、フランジバックが長いカメラ本体に取り付ける場合や、フランジバックの長さの差分が僅かしかない場合には、マウントアダプタの長さを可能な限り短くしたとしても光学的な特性を一致させることができないという問題が起こる。仮に、フランジバックが長い交換レンズを、フランジバックが短いカメラ本体に機械的に取り付けて使用すると、光学的に見て接写リングを用いた場合と同等になり無限遠にピントが合わなくなるので近距離撮影専用になる。そこで、マウントアダプタに補正用のレンズを内蔵することによりフランジバックの差分を吸収するという方法があるが、写真の仕上がりに及ぼす影響が特に大きいと言われる最後玉が非純正レンズになってしまうため、あまりよい方法であるとは言えない。またこのような方法は、特に旧式の名レンズを使用するような場合には、レンズの特徴そのものが変わってしまうことになるため望ましくない。
【０００４】
一方、１９５５年頃から発売されたミランダＴ（「ミランダ」（登録商標））という国産カメラに装着されていたズノー５０ｍｍＦ１．９という国産レンズは、描写が素晴しいという定評がある。ところが、ミランダＴは完動するものが少なく、かつ近年のカメラに比べると性能面でどうしても劣るので、ズノー５０ｍｍＦ１．９を近年の汎用的な銀鉛カメラやデジタルカメラに装着して使用したいという要望がある。
【先行技術文献】
【特許文献】
【０００５】
【特許文献１】特開２００９−０９２８６３号公報
【考案の概要】
【考案が解決しようとする課題】
【０００６】
しかしながら、ミランダＴに採用されているレンズマウントの規格は、フランジバックが比較的短いので（フランジバック４１．５ｍｍ）、ミランダＴに他の様々なレンズマウントの規格のレンズを装着するためのマウントアダプタは発売されているが、ミランダＴ用のレンズを近年の汎用的なカメラに装着するためのマウントアダプタは見当たらない。
【０００７】
本考案は以上のような課題を考慮してなされたものであり、ミランダＴに採用されているレンズマウントの規格のレンズを近年の汎用的なカメラに装着するためのマウントアダプタを提供するものである。
【課題を解決するための手段】
【０００８】
本考案は、カメラ本体とレンズとの間に装着されるマウントアダプタであって、該マウントアダプタは、カメラ本体接合面を有する第１環状部と、レンズ接合面を有しかつ外径が前記第１環状部よりも小さい第２環状部とを有しており、前記第１環状部の前記カメラ本体接合面はＥＦマウントの規格に適合しており、前記第２環状部の前記レンズ接合面はミランダＴのレンズマウントの規格に適合しているマウントアダプタである。
【０００９】
本考案におけるＥＦマウントとは、１９８７年３月に発売されたＥＯＳ（登録商標）６５０以降の、キヤノン（登録商標）のレンズ交換式オートフォーカス一眼レフカメラに採用されているレンズマウントを意味する。
【００１０】
本考案におけるミランダＴとは、１９５５年８月に当時のオリオンカメラ株式会社（後にミランダカメラ株式会社に商号変更）から発売された国産初のペンタプリズム一眼レフカメラを意味する。
【００１１】
本考案のマウントアダプタにおいて、前記第２環状部の前記レンズ接合面は、前記第１環状部が有するレンズ側の面よりもカメラ本体の結像面に近い構成にすることができる。
【００１２】
本考案における結像面とは、カメラ本体の内部に位置する後側焦点面であり、銀鉛カメラにおけるフィルム面、もしくは、デジタルカメラにおけるセンサー面を意味する。
【００１３】
本考案のマウントアダプタにおいて、前記第２環状部の前記レンズ接合面は、前記第１環状部の前記カメラ本体接合面よりもカメラ本体の結像面に近い構成にすることができる。
【００１４】
本考案のマウントアダプタにおいて、前記第２環状部の前記レンズ接合面と、前記第１環状部の前記カメラ本体接合面との距離は、２．０ｍｍ以上、３．０ｍｍ以下に構成することができる。
【００１５】
本考案のマウントアダプタにおいて、さらに、カメラ本体が有するレンズマウント面に、前記第１環状部の前記カメラ本体接合面を当接させた状態で、カメラ本体が有するマウント爪に引っ掛けて、該マウントアダプタをカメラ本体に固定するカメラ側固定部材と、前記第２環状部の前記レンズ接合面に、レンズを固定するレンズ側固定部材とを有する構成にすることができる。
【考案の効果】
【００１６】
本考案のマウントアダプタによれば、ＥＦマウントを採用するカメラ本体に、ミランダＴに採用されているレンズマウントのレンズを装着することができる。よって、ズノー５０ｍｍＦ１．９などの往年の優秀なレンズを、近年の汎用的なカメラであるキャノンのＥＯＳシリーズの全てのカメラボディ（銀鉛カメラ及びデジタルカメラを含む）に装着して、マニュアル撮影によって使用することができる。
【００１７】
さらに、本考案のマウントアダプタによれば、レンズ接合面をカメラ本体接合面の裏側にあたるレンズ側の面よりも結像面に近づけることにより、無限遠側のピントが合う範囲を広くすることができる。
【００１８】
さらに、本考案のマウントアダプタによれば、レンズ接合面をカメラ本体接合面よりも結像面に近づけることにより、無限遠側のピントが合う範囲をさらに広くすることができる。
【００１９】
さらに、本考案のマウントアダプタによれば、レンズ接合面とカメラ本体接合面との距離が２．０ｍｍ以上、３．０ｍｍ以下であることにより、マニュアル撮影によって無限遠から使用することができる。
【００２０】
また、本考案のマウントアダプタによれば、該マウントアダプタをカメラ本体に固定するカメラ側固定部材とレンズを固定するレンズ側固定部材とを有することにより、カメラ本体とレンズとを機械的に固定することができる。
【図面の簡単な説明】
【００２１】
【図１】本考案に係るマウントアダプタ１００の概要を示す図である。
【図２】本考案に係るマウントアダプタ１００を、カメラ本体２００に取り付ける側から見た斜視図である。
【図３】本考案に係るマウントアダプタ１００を、交換レンズ３００に取り付ける側から見た斜視図である。
【図４】本考案に係るマウントアダプタ１００の詳細な形状を示す図である。
【考案を実施するための形態】
【００２２】
以下、図面に示した実施の形態に基づいて本考案を詳細に説明する。
【００２３】
＜マウントアダプタ１００の概要＞
図１は、本考案に係るマウントアダプタ１００の概要を示す図である。なお図１には、説明のためにカメラ本体２００と交換レンズ３００とを記載している。
【００２４】
図１において、マウントアダプタ１００は、カメラ本体２００と交換レンズ３００との間に取り付けて、交換レンズ３００をカメラ本体２００において使用できるようにするための機器である。
【００２５】
マウントアダプタ１００は、カメラ本体接合面を有する第１環状部１１１と、レンズ接合面を有しかつ外径が第１環状部１１１よりも小さい第２環状部１２１とを有している。ここで、第１環状部１１１のカメラ本体接合面はＥＦマウントの規格に適合しており、第２環状部１２１のレンズ接合面はミランダＴのレンズマウントの規格に適合している。ここでレンズマウントとは、レンズ交換式の光学機器において、レンズと光学機器本体とを接合する機構をいう。
【００２６】
＜カメラ本体２００の説明＞
カメラ本体２００は近年の汎用的な銀鉛カメラやデジタルカメラであり、レンズマウントの規格がカメラ本体２００と一致する専用レンズを装着することができるレンズマウント２１０を有している。
【００２７】
レンズマウント２１０は、専用レンズマウント面２１１、及びマウント爪２１２を有する。専用レンズマウント面２１１は、結像面（図示せず）に対して平行な略環状の平面であって、結像面との距離が規格で定められた所定の値に確保されている。マウント爪２１２は、専用レンズ固定用の突起である。ここで、第１環状部１１１のカメラ本体接合面はカメラ本体２００のレンズマウント２１０の規格に適合しているので、第１環状部１１１のカメラ本体接合面が専用レンズマウント面２１１に当接した状態で、マウント爪２１２に引っ掛けられることにより、マウントアダプタ１００はレンズマウント２１０に装着される。
【００２８】
ここで、カメラ本体２００には、キャノンのＥＯＳシリーズのカメラボディを使用することができ、特にＥＯＳ−１Ｎ  ＲＳやＥＯＳ  ＲＴを使用することが望ましい。キャノンのＥＯＳシリーズのカメラボディに採用されているＥＦマウントは、大口径完全電子マウントであって、機械的連動機構が無く、従来の他社及び自社のマウントと比較して大口径である（口径５１．２ｍｍ）。ＥＯＳ−１Ｎ  ＲＳ及びＥＯＳ ＲＴはペリクルミラーと称する半透明の固定式ミラー２２０を備えている。固定式ミラー２２０を備えたカメラは、一般にファインダーが暗くなる等の欠点もあるが、シャッターを切ったときでもファインダー像が消失せず、ミラーショックもなく、シャッターラグを飛躍的に小さくすることができる等の利点がある。カメラ側のレンズマウントが大口径である点、及び固定式ミラーを備える点は、後述する理由によりマウントアダプタ１００を設計する上で大変に有用な特徴である。
【００２９】
＜交換レンズ３００の説明＞
交換レンズ３００は、カメラ本体２００とレンズマウントの規格が異なる非専用レンズであり、レンズマウントの規格が交換レンズ３００と一致するレンズマウントに接合することができるレンズ接合部３１０を有している。ここで、第２環状部１２１のレンズ接合面は交換レンズ３００のレンズマウントの規格に適合しているので、第２環状部１２１のレンズ接合面にレンズ接合部３１０を固定することにより、マウントアダプタ１００に交換レンズ３００が接合される。
【００３０】
ここで交換レンズ３００には、ミランダＴの純正レンズを使用することができ、例えばミランダＴに装着されていたズノー５０ｍｍＦ１．９を使用することができる。ミランダＴに採用されているレンズマウントは、４４ｍｍ径のスクリューマウントと４本爪の外バヨネットの併用であって、口径は４４ｍｍ程度であり、ＥＦマウントと比較すると小口径である。
【００３１】
＜マウントアダプタ１００の詳細な説明＞
図２は、本考案に係るマウントアダプタ１００を、カメラ本体２００に取り付ける側から見た斜視図である。
【００３２】
図２に示すように、マウントアダプタ１００は、カメラ本体２００に採用されているレンズマウント２１０に接合されるマウントアダプタ接合部１１０を有している。ここでマウントアダプタ接合部１１０は、ＥＦマウントの規格に適合しており、ＥＦマウントを採用するカメラ本体２００に接合される。
【００３３】
マウントアダプタ接合部１１０は、第１環状部１１１、及びカメラ側固定部材１１２を有する。第１環状部１１１は、カメラ本体接合面１１１ａ、１個の回転規制穴１１１ｂ、及びアダプタ取付指標１１１ｃを有する。
【００３４】
カメラ本体接合面１１１ａは、カメラ本体２００の専用レンズマウント面２１１に当接する略環状の平面であって、専用レンズマウント面２１１を基準にしてカメラ本体２００に対するマウントアダプタ１００の相対的な位置を確保するためのものである。ここでカメラ本体接合面１１１ａは、マウントアダプタ１００をカメラ本体２００に取り付けた際に、レンズマウント２１０における専用レンズマウント面２１１にほぼ隙間無く当接する。従ってマウントアダプタ１００をカメラ本体２００に取り付けた際には、カメラ本体接合面１１１ａの位置と専用レンズマウント面２１１の位置はほぼ同じになると考えてよい。
【００３５】
回転規制穴１１１ｂは、マウントアダプタ１００がカメラ本体２００から容易に外れないように、マウントアダプタ１００とカメラ本体２００との相対的な回転位置をロックするための穴である。
【００３６】
アダプタ取付指標１１１ｃは、マウントアダプタ１００をカメラ本体２００に装着する際に、マウントアダプタ１００とカメラ本体２００との相対的な位置を合わせるために用いるマークである。
【００３７】
カメラ側固定部材１１２は、カメラ本体２００の専用レンズマウント面２１１にカメラ本体接合面１１１ａを当接させた状態で、カメラ本体２００のマウント爪２１２に引っ掛けて、マウントアダプタ１００をカメラ本体２００に固定する。例えば、アダプタ取付指標１１１ｃを用いて、所定の相対的位置においてカメラ本体接合面１１１ａをカメラ本体２００の専用レンズマウント面２１１に当接させた状態から、マウントアダプタ１００とカメラ本体２００とを相対的に回転させる。すると、カメラ本体２００のマウント爪２１２とカメラ側固定部材１１２とが嵌合して、マウントアダプタ１００がカメラ本体２００に固定される。
【００３８】
図３は、本考案に係るマウントアダプタ１００を、交換レンズ３００に取り付ける側から見た斜視図である。
【００３９】
図３に示すように、マウントアダプタ１００は、交換レンズ３００に採用されているレンズ接合部３１０が接合される交換レンズマウント部１２０を有している。ここで交換レンズマウント部１２０は、ミランダＴのレンズマウントの規格に適合しており、交換レンズマウント部１２０にはミランダＴに採用されているレンズマウントの交換レンズ３００が接合される。
【００４０】
交換レンズマウント部１２０は、第２環状部１２１、及びレンズ側固定部材１２２を有する。第２環状部１２１は、レンズ接合面１２１ａ、及び４個の固定用穴１２１ｂを有する。
【００４１】
レンズ接合面１２１ａは、カメラ本体接合面１１１ａに対して平行な略環状の平面であって、レンズ接合面１２１ａを基準にして、マウントアダプタ１００に対する交換レンズ３００の相対的な位置を確保するためのものである。
【００４２】
固定用穴１２１ｂは、マウントアダプタ１００と交換レンズ３００との相対的な回転位置をロックするための穴である。
【００４３】
レンズ側固定部材１２２は、レンズ接合面１２１ａを基準にして、マウントアダプタ１００に交換レンズ３００のレンズ接合部３１０を固定する。ここでレンズ側固定部材１２２は、４４ｍｍ径のスクリューマウントである。
【００４４】
図４は、本考案に係るマウントアダプタ１００の詳細な形状を示す図である。ここで図４の右側の図はカメラ本体２００に取り付ける側から見た正面図であり、図４の左側の図は右側の図中の一点鎖線Ａ−Ａ´において図中の矢印Ａ‘’の方向から見た断面図である。なお、図４の左側の図において、右方向がカメラ本体２００に取り付ける側、左方向が交換レンズ３００に取り付ける側である。また、図４の左側の図において、Ｂはレンズ接合面１２１ａの断面の位置を、Ｃはカメラ本体接合面１１１ａの断面の位置を示し、ＤはＣのカメラ本体接合面１１１ａの裏側にあたる第１環状部１１１が有するレンズ側の面の断面の位置を示し、結像面（図示せず）は図の右側に位置している。ここで結像面とは、カメラ本体２００の内部に位置する後側焦点面であり、銀鉛カメラにおけるフィルム面、もしくは、デジタルカメラにおけるセンサー面と略同一の概念である。
【００４５】
図４に示すマウントアダプタ１００は、交換レンズ３００に採用されているレンズマウントの規格のフランジバックの長さが、カメラ本体２００に採用されているレンズマウントの規格のフランジバックの長さよりも短い場合を想定して設計したものである。
【００４６】
上記のような場合には、マウントアダプタ１００をカメラ本体２００に取り付けた際に、交換レンズマウント部１２０におけるレンズ接合面１２１ａが、カメラ本体２００のレンズマウント２１０における専用レンズマウント面２１１よりも結像面に近くなるようにマウントアダプタ１００を設計することが望ましい。ＥＦマウントの口径は５１．２ｍｍであり、ミランダＴに採用されているレンズマウントの規格の口径は４４ｍｍ程度であるので、口径の差が比較的大きい。そこでこの口径の差を利用して、図４の左側の図に示すように第２環状部１２１を、第１環状部１１１の内周の内側に沈み込ませるようにして、Ｂに示すレンズ接合面１２１ａをＣに示すカメラ本体接合面１１１ａよりも結像面側（図中の右側）に配置する。このように配置することにより、マウントアダプタ１００をカメラ本体２００に取り付けた際に、レンズ接合面１２１ａを専用レンズマウント面２１１よりも結像面に近くなるようにすることができる。図４によれば、マウントアダプタ１００側付近の外周が５０ｍｍ未満の交換レンズであれば問題なく装着できることがわかる。なお、カメラ本体とレンズとのフランジバックの長さの差分が僅かであり、例えば第１環状部１１１の厚さよりも小さいような場合には、レンズ側から見て第１環状部１１１と第２環状部１２１との間に段差を付けて、Ｂに示すレンズ接合面１２１ａをＤに示す第１環状部１１１が有するレンズ側の面よりも結像面側（図中の右側）に配置すればよい。
【００４７】
ここで、レンズ接合面１２１ａを結像面により近くなるようにマウントアダプタ１００を設計する場合には、特にマウントアダプタ１００や交換レンズ３００の後球がカメラ内の固定物や可動式ミラーの可動範囲と干渉しないように留意しなければならない。なお、カメラ本体２００にＥＯＳ  ＲＴ等の固定式ミラーを備えたカメラやミラーレスの一眼デジタルカメラを使用すると、交換レンズ３００の後球とミラーの可動範囲との干渉を考慮する必要がなくなるので、マウントアダプタ１００を設計する際の自由度が高くなり大変好ましい。
【００４８】
以上のようにレンズ接合面１２１ａを専用レンズマウント面２１１よりも結像面に近づけることで、無限遠側のピントが合う範囲を広くすることができる。
【００４９】
さらに、マウントアダプタ１００を介して交換レンズ３００をカメラ本体２００に取り付けた際に無限遠にピントが合うように、交換レンズマウント部１２０におけるレンズ接合面１２１ａを含む平面と結像面との距離を設計することが望ましい。例えば図４に示すように、ＥＦマウントのフランジバックを４４．０ｍｍ、ミランダＴに採用されているレンズマウントの規格のフランジバックを４１．５ｍｍとすると、理論的にはＢのレンズ接合面１２１ａを含む平面はＣのカメラ本体接合面１１１ａを含む平面よりも略２．５ｍｍ（４４．０ｍｍ−４１．５ｍｍ＝２．５ｍｍ）結像面に近くなるようにすればよい。なお被写界深度による許容ボケ等を考慮すれば、上記理論的な値よりも幾分異なる値を用いてもよい。例えばレンズ接合面１２１ａとカメラ本体接合面との距離が２．０ｍｍ以上、３．０ｍｍ以下程度であれば、無限遠にピントを合わすことが可能である。
【００５０】
以上のように、本考案のマウントアダプタ１００を用いれば、ＥＦマウントを採用する近年の汎用的なカメラ本体に、ミランダＴに採用されているレンズマウントの規格の交換レンズを装着して使用することができ、さらに、無限遠側のピントが合う範囲を広くすることや無限遠にピントを合わすことが可能である。
【符号の説明】
【００５１】
１００    マウントアダプタ
１１０    マウントアダプタ接合部
１１１    第１環状部
１１１ａ  カメラ本体接合面
１１１ｂ  回転規制穴
１１１ｃ  アダプタ取付指標
１１２    カメラ側固定部材
１２０    交換レンズマウント部
１２１    第２環状部
１２１ａ  レンズ接合面
１２１ｂ  固定用穴
１２２    レンズ側固定部材
【図１】
0003177509.tif 000003
【図２】
0003177509.tif 000004
【図３】
0003177509.tif 000005
【図４】
0003177509.tif 000006
【手続補正書】
【提出日】平成24年6月1日(2012.6.1)
【手続補正１】
【補正対象書類名】実用新案登録請求の範囲
【補正対象項目名】全文
【補正方法】変更
【補正の内容】
【実用新案登録請求の範囲】
【請求項１】
カメラ本体とレンズとの間に装着されるマウントアダプタであって、
該マウントアダプタは、前記カメラ本体に採用されているレンズマウントに接合されるマウントアダプタ接合部と、前記レンズに採用されているレンズ接合部が接合される交換レンズマウント部とを有しており、
前記マウントアダプタ接合部は、カメラ本体接合面を有する第１環状部を有し、前記交換レンズマウント部と比較して大口径である電子マウントのレンズ側のマウントになっており、
前記交換レンズマウント部は、レンズ接合面を有しかつ外径が前記第１環状部よりも小さい第２環状部を有し、４４ｍｍ径のスクリューマウントと４本爪の外バヨネットの併用であるカメラ側のマウントになっていることを特徴とするマウントアダプタ。
【請求項２】
前記第２環状部の前記レンズ接合面は、前記第１環状部が有するレンズ側の面よりもカメラ本体の結像面に近いことを特徴とする請求項１に記載のマウントアダプタ。
【請求項３】
前記第２環状部の前記レンズ接合面は、前記第１環状部の前記カメラ本体接合面よりもカメラ本体の結像面に近いことを特徴とする請求項１に記載のマウントアダプタ。
【請求項４】
前記第２環状部の前記レンズ接合面と、前記第１環状部の前記カメラ本体接合面との距離は、２．０ｍｍ以上、３．０ｍｍ以下であることを特徴とする請求項３に記載のマウントアダプタ。
【請求項５】
前記マウントアダプタ接合部は、
カメラ本体が有するレンズマウント面に、前記第１環状部の前記カメラ本体接合面を当接させた状態で、カメラ本体が有するマウント爪に引っ掛けて、該マウントアダプタをカメラ本体に固定するカメラ側固定部材を有し、
前記交換レンズマウント部は、
前記第２環状部の前記レンズ接合面に、レンズを固定するレンズ側固定部材を有することを特徴とする請求項１〜４のいずれか１項に記載のマウントアダプタ。